(57)【要約】【課題】滑らかに動かすことができ、かつ、長期に渡り使用することができる可動部材を備えた遊技機を提供する。【解決手段】可動部材１０１と、これを軸方向に移動可能に支持するシャフト２４２と、を備え、可動部材１０１は、金属製の筒状部材２４７と、筒状部材２４７を保持する保持部材２８０とを備え、筒状部材２４７は、保持部材２８０によって保持され、筒状部材２４７に、シャフト２４２が相対的に摺動可能に挿通されることで、可動部材１０１が、シャフト２４２によって移動可能に支持されているので、可動部材１０１を滑らかに動かすことができ、かつ、長期に渡り使用することができる。【選択図】図１８
2018011689.tif 000002
【特許請求の範囲】
【請求項１】
可動部材と、この可動部材を軸方向に移動可能に支持するシャフトと、を備えた遊技機であって、
前記可動部材は、金属製の筒状部材と、この筒状部材を保持する保持部材と、を備えており、
前記筒状部材は、前記保持部材によって保持されており、
前記筒状部材に、前記シャフトが相対的に摺動可能に挿通されることで、前記可動部材が、前記シャフトによって移動可能に支持されていることを特徴とする遊技機。
【請求項２】
前記筒状部材の一方の端部が、前記保持部材の、前記シャフトの軸方向における一方の端部の近傍に位置し、
前記筒状部材の他方の端部が、前記保持部材の、前記シャフトの軸方向における他方の端部の近傍に位置することを特徴とする請求項１に記載の遊技機。
【請求項３】
前記筒状部材を２つ以上備え、
前記シャフトの軸方向において、最も外側に位置する２つの前記筒状部材のうちの一方の前記筒状部材の外側の端部が、前記保持部材の、前記シャフトの軸方向における一方の端部の近傍に位置し、
前記シャフトの軸方向において、最も外側に位置する２つの前記筒状部材のうちの他方の前記筒状部材の外側の端部が、前記保持部材の、前記シャフトの軸方向における他方の端部の近傍に位置すること特徴とする請求項１に記載の遊技機。
【発明の詳細な説明】
【技術分野】
【０００１】
本発明は、可動役物等の可動部材を有する遊技機に関する。
【背景技術】
【０００２】
スロットマシンやパチンコ遊技機等の遊技機では、演出や報知のための可動役物を有し、演出効果を高める等している。
【０００３】
可動役物を有する遊技機の一例として、特許文献１に記載の遊技機が知られている。この遊技機の可動役物（演出部材）は、シャフト（ガイド部材）に沿って動き、遊技者の視認可能な位置に出てきたり隠れたりする。
【０００４】
このようなシャフトに沿って役物が動く遊技機にあっては、例えば、可動役物に設けられた孔にシャフトを挿通することで、シャフトに対して摺動可能な状態で役物を設けたりするが、役物は主に合成樹脂素材であることが多く、この場合、当然役物のシャフトとの接触部分も合成樹脂製となる。
また、シャフトに対して摺動可能に設けられた取付部材を介して役物を設けることも考えられるが、この場合にも、役物に合わせる意味や、部材の製作コスト等の面から主に合成樹脂素材の取付部材が用いられる。
【先行技術文献】
【特許文献】
【０００５】
【特許文献１】特開２０１２−１６４５７
【発明の概要】
【発明が解決しようとする課題】
【０００６】
しかしながら、シャフトとの接触部を合成樹脂製等で形成する場合、寸法精度が十分でなく、シャフトとの間に必要以上に隙間ができてしまい、可動役物（可動部材）がシャフトの軸方向等に傾いてしまうといった問題が生じる。このような傾きは、美感を損なう上、動作不良の原因ともなり得る。
また、逆に、このシャフトとの間の隙間が小さすぎると、動作時の摩擦抵抗が大きくなり、動力源に過大な力が求められることとなってしまう。
また、シャフトとの接触部が合成樹脂製である場合、摩耗するのが早いといった問題もある。
【０００７】
本発明は、前記事情に鑑みてなされたもので、滑らかに動かすことができ、かつ、長期に渡り使用することができる可動部材を備えた遊技機を提供することを目的とする。
【課題を解決するための手段】
【０００８】
前記目的を達成するために、本発明の遊技機は、
可動部材と、この可動部材を軸方向に移動可能に支持するシャフトと、を備えた遊技機であって、
前記可動部材は、金属製の筒状部材と、この筒状部材を保持する保持部材と、を備えており、
前記筒状部材は、前記保持部材によって保持されており、
前記筒状部材に、前記シャフトが相対的に摺動可能に挿通されることで、前記可動部材が、前記シャフトによって移動可能に支持されていることを特徴とする。
【０００９】
本発明においては、可動部材は、筒状部材と保持部材とを備える。筒状部材は、保持部材によって保持されており、筒状部材には、遊技機に備えられたシャフトが挿通されている。つまり、可動部材は、筒状部材を介してシャフトに設けられており、シャフトに対して摺動可能な状態となっている。また、筒状部材は、金属製である。
【００１０】
可動部材とシャフトとの接続部分に、金属製の筒状部材を用いているので、寸法精度を確保することができ、シャフトと可動部材との間の隙間を最小限に抑えることができ、可動部材が傾くのを防ぐことができる。
したがって、可動部材を滑らかに動かすことができる。
【００１１】
また、筒状部材は、金属製のため耐久性が高い。このため、使用により筒状部材が摩耗し、シャフトと可動部材との間の隙間が広がるのを防ぐことができる。これにより、可動部材が長寿命となるので、取り付けた可動部材をそのまま長く使える。また、これだけでなく、この可動部材や筒状部材等の部材を、他の遊技機に再利用したり流用したりすることもできる。
また、遊技機への可動部材の取り付けが、シャフトと筒状部材とにより行われるので、遊技機の機種によって取付構造や取付部のサイズが変わることが無く、可動部材の汎用性を高めることができる。
したがって、可動部材を長期に渡り使用することができる。
なお、保持部材は、第一保持部材と第二保持部材とを備えていてもよい。筒状部材を第一保持部材と第二保持部材とによって挟むようにして保持するようにすることで、可動部材のシャフトからの取り外し、シャフトへの取り付けを容易に行うことできる。
【００１２】
また、本発明の前記構成において、前記筒状部材の一方の端部が、前記保持部材の、前記シャフトの軸方向における一方の端部の近傍に位置し、
前記筒状部材の他方の端部が、前記保持部材の、前記シャフトの軸方向における他方の端部の近傍に位置することが好ましい。
【００１３】
このような構成によれば、筒状部材が、シャフトの軸方向において保持部材のほぼ全幅に渡り位置することになる。このため、シャフトと筒状部材との接触する範囲を軸方向に長く取れ、保持部材の幅の一部にしか筒状部材が存在しない場合に比べ、筒状部材がシャフトに対し傾き、可動部材が傾くのをより強く抑えることができる。また、筒状部材と保持部材との接触する範囲を広くすることができ、保持部材が筒状部材に対し傾き、可動部材が傾くのを防ぐことができる。
【００１４】
また、本発明の前記構成において、前記筒状部材を２つ以上備え、
前記シャフトの軸方向において、最も外側に位置する２つの前記筒状部材のうちの一方の前記筒状部材の外側の端部が、前記保持部材の、前記シャフトの軸方向における一方の端部の近傍に位置し、
前記シャフトの軸方向において、最も外側に位置する２つの前記筒状部材のうちの他方の前記筒状部材の外側の端部が、前記保持部材の、前記シャフトの軸方向における他方の端部の近傍に位置することが好ましい。
【００１５】
このような構成によれば、シャフトの軸方向における保持部材の両端部にそれぞれ筒状部材が位置することとなる。前述のように、筒状部材が、シャフトの軸方向において保持部材のほぼ全幅に渡り位置することで、可動部材が傾くのを強く抑えることができるが、全幅に渡り位置していなくとも両端部に位置することで同様に可動部材が傾くのを防ぐことができる。
また、通常、筒状の軸受け等にあっては、軸方向の長さが長くなると、径の長さも長くなってしまう場合が多いが、複数の筒状部材を用いることで、一本の筒状部材で同じだけの長さを確保しようとした場合に比べ、径方向のサイズを小さくすることができる。したがって、複数の筒状部材を離間させて設ける場合に限らず、隣接させて設ける場合にも実益がある。また、筒状部材を複数用いることにより保持部材の幅に合わせた筒状部材の配置を実現することで、保持部材の幅の長さが違う製品について違う長さの筒状部材を用意する必要が無く、同一の筒状部材を利用することができ、コストの削減等に繋がる。
【００１６】
本発明によれば、可動部材を滑らかに動かすことができ、かつ、長期に渡り使用することができる。
【図面の簡単な説明】
【００１７】
【図１】本発明の実施の形態に係る遊技機の一例を示すもので、その斜視図である。
【図２】同、枠体に取り付けられた役物ユニットを示す斜視図である。
【図３】同、役物ユニットの分解斜視図である。
【図４】同、取付部を第１係合部とともに示す斜視図である。
【図５】同、第１係合部の斜視図である。
【図６】同、第１係合部を中継基板とともに示す分解斜視図である。
【図７】同、第２係合部を可動部材とともに示す斜視図である。
【図８】同、第２係合部を示すもので、（ａ）は分解斜視図、（ｂ）は第２係合部の第２部材を示す斜視図である。
【図９】同、第２係合部の断面図である。
【図１０】同、原点位置にある可動部材を示す正面図である。
【図１１】同、中央位置にある可動部材を示す正面図である。
【図１２】同、左寄せ位置にある可動部材を示す正面図である。
【図１３】同、右寄せ位置にある可動部材を示す正面図である。
【図１４】同、保護チューブの一例を示すもので、正面図である。
【図１５】同、保護チューブの一例を示すもので、（ａ）は平面図、（ｂ）は（ａ）におけるＡ−Ａ線断面図である。
【図１６】同、駆動機構の分解斜視図である。
【図１７】同、可動部材とシャフトを示す斜視図である。
【図１８】同、可動部材とシャフトの要部を示す斜視図である。
【図１９】同、一方の保持部材を示すもので、（ａ）は正面側から見た分解斜視図、（ｂ）は背面側から見た分解斜視図である。
【図２０】同、保持部材がシャフトに支持されている状態を示す要部の斜視図である。
【図２１】同、他方の保持部材を示すもので、（ａ）は正面側から見た分解斜視図、（ｂ）は背面側から見た分解斜視図である。
【図２２】同、筒状部材の斜視図である。
【図２３】同、半分を切り欠いた状態の筒状部材２４７の斜視図である。
【図２４】同、駆動機構をベース部材に取り付けた状態を示す斜視図である。
【図２５】同、下部レールを示す斜視図である。
【発明を実施するための形態】
【００１８】
以下、本発明の実施の形態について図面を参照して説明する。
まず、遊技機の概略構成について説明する。なお、以下では遊技機の一つであるスロットマシンについて説明するが、本発明に係る遊技機は、スロットマシンに限ることなく、その他の遊技機であってもよい。
また、以下の説明においては、基本的に「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
【００１９】
まず、発明が適用されるスロットマシンＭの概略構成について説明する。
図１はスロットマシンＭを示す斜視図である。このスロットマシンＭは、筐体１を備えており、この筐体１は、底板、左右の側板、天板および背板を備え、当該筐体１の正面側に開口する正面開口部を有する箱形に形成されている。なお、底板の上面には、図示は省略するが、各部品に電力を供給するための電源装置を内蔵した電源ユニット、メダルを貯留するとともにメダルを払い出す払い出し装置としてのホッパーユニット等が設けられている。
【００２０】
また、筐体１の正面には、筐体１の正面開口部を開閉可能に閉塞する前扉３が設けられており、この前扉３は、前記正面開口部の開口上部を開閉可能に閉塞する上扉３０と、開口下部を開閉可能に閉塞する下扉４０とを備えている。
前記筐体１内には、図示は省略するが、交換ユニットが着脱可能に設けられている。交換ユニットは、種々の部品を設置あるいは固定するための支持体としての枠体と、この枠体に固定されたリールユニットおよび基板ユニットとから構成されている。ここで、リールユニットは、周囲に複数の図柄を表示した３個の回転リールと、回転リールを回転させるための駆動モータ（ステッピングモータ）を有している。また、基板ユニットは、ＣＰＵ、ＲＯＭ、ＲＡＭ、Ｉ／Ｏ等の電子部品を備えた基板を、基板ケースに収納したものである。そして、基板ユニットは、スロットマシンＭの遊技を制御するための遊技制御装置として機能する。
【００２１】
図１に示すように、上扉３０の下部中央には、表示窓３１が設けられ、この表示窓３１の奥には、前記３個の回転リールが横一列に設けられている。各回転リールの外周面には複数種類の図柄が配列されており、回転リールが停止すると表示窓を通して１リール当たり３個の図柄が表示される。スロットマシンＭでは、横３本と斜め２本とからなる計５本の入賞有効ラインが設定されている。
そして、３個の回転リールが停止したときに入賞有効ライン上に停止した図柄の組み合わせによって当選役が入賞したか否かが表示される。
また、上扉３０の上部中央には、表示窓３１の上方に表示窓３２が設けられている。この表示窓３２は上扉３０に設けられた液晶表示パネルを有する表示ユニットの表示面を見るために設けられたものであり、この表示ユニットでは、その表示面に遊技機における演出用の画像が表示されるようになっている。
また、上扉３０の表示窓３２の上部および左右両側部には、報知や演出などを行うためのランプ３３ａ,３３ｂが設けられている。
【００２２】
また、上扉３０は、筐体１内に設けられた前記交換ユニットにヒンジを介して回動可能に連結されることで、筐体１の開口上部を開閉するようになっている。また、下扉４０は筐体１にヒンジを介して回動可能に連結されることで、筐体１の開口下部を開閉するようになっている。
【００２３】
なお、このスロットマシンＭは、分離型筐体タイプの構造を有するものであり、遊技店における機種の交換時に、上扉３０が回動自在に取り付けられた交換ユニットを交換するようになっており、機種の交換時に筐体１、下扉４０および筐体１内の電源ユニットやホッパーユニット等は、遊技店の島設備に取り付けられたままで、交換されないようになっている。また、スロットマシンＭは、分離型筐体タイプに限られるものではなく、機種交換時にスロットマシン全体を交換するものであってもよい。この場合に、前扉３を上扉３０と下扉４０とに分けない一体の構造としてもよい。また、上扉３０と下扉４０とに分ける場合に、上扉３０を、筐体１の側板にヒンジを介して回動自在に取り付けてもよい。
また、上扉３０の下端部には、下扉４０の前面より後方側で下扉４０の上端より下側に突出する係合部が設けられ、下扉４０が閉じた状態で、上扉３０を開放することができない構造になっている。
【００２４】
また、下扉４０の上部には、スロットマシンＭを操作するための操作部５０が設けられている。操作部５０には、クレジットされたメダルを払い出すための精算スイッチ５２、ゲームを開始させるためのスタートレバー５３、回転リールの回転を停止させるためのストップスイッチ５４、メダルを投入するためのメダル投入口４２、メダル投入口４２の下方のメダル通路内で発生したメダル詰まりを解消するリジェクトボタン５５、最大数の３枚のメダルをゲームに投資するときに操作されるＭＡＸベットスイッチボタン５６等が設けられる他、遊技の演出等を選択するための操作盤５７や、表示ユニット５８が設けられている。操作盤５７は操作部５０の幅方向（左右方向）の略中央部に配置され、メダル投入口４２およびリジェクトボタン５５を挟んで、右側に表示ユニット５８が配置されている。なお、操作盤５７には、演出等の選択用の十字キー、決定ボタン、キャンセルボタン等を有している。
【００２５】
また、下扉４０の下部には、スロットマシン内部よりメダルを排出するためのメダル払い出し口と、メダル払い出し口から排出されたメダルを溜めておくためのメダル受け皿４３とが形成されている。また、操作部５０とメダル受け皿４３との間には液晶表示パネル４５が取り付けられている。また、この液晶表示パネル４５の左右両側にはそれぞれ報知や演出などを行うためのランプ３３ｄが設けられている。
【００２６】
本実施の形態では、モーター等の駆動源により駆動する可動部材（可動役物）１０１を移動可能に設け、表示ユニットによる演出画像の表示に加えて、可動役物の動作により演出の向上を図るようにしている。
前記上扉３０の内部には、図２に示すように、概略矩形状の枠体１００が取り付けられており、この枠体１００の略上半分に可動部材１０１，１０１と、この可動部材１０１，１０１を駆動させる駆動機構１０８等を備えた役物ユニット１０５が取り付けられている。なお、枠体１００の略下半分中央部には、回転リールを見るための表示窓３１が設けられている。
【００２７】
役物ユニット１０５は、図３に示すように、ベース部材１０６と、左右一対の可動部材１０１，１０１と、左右一対のケーブル部材１０７と、可動部材１０１，１０１を左右に移動させる駆動機構１０８とを備えている。
【００２８】
ベース部材１０６は矩形枠状に形成されており、その上辺部には後述する第１係合部１１５を取り付けるための取付部１１０とケーブル部材１０７の所定部を収納する収納部１１１が設けられている。
取付部１１０は前記上辺部の長手方向中央部に左右一対設けられている。したがって、以下では右側の取付部１１０について説明し、左側の取付部１１０については、その説明を省略する。
取付部１１０は、図４に示すように、ねじ孔が形成された筒状部１１０ａと、この筒状部１１０ａの両側に設けられている板状部１１０ｂ，１１０ｂとを備えている。また、取付部１１０の前縁部は、ベース部材１０６の上辺部の前縁部より奥側に凹むようにして形成されている。また、筒状部１１０ａは板状部１１０ｂより前側に突出している。
第１係合部１１５は、図５に示すように、ケーブル部材１０７の一端部に係合して、当該ケーブル部材１０７の延出方向を所定方向に規制するものであり、第１部材１１６と、この第１部材１１６に係合する第２部材１１７とから構成されている。
【００２９】
第１部材１１６は断面略コ字形に形成され、第２部材１１７は断面略Ｌ字形に形成されている。そして、第２部材１１７の一片１１７ａを第１部材１１６に差し込むことで、第１部材１１６と第２部材１１７とが係合するとともに、第２部材１１７の他片１１７ｂを第１部材１１６の上片１１６ａの前縁部に突き当てたうえで、ねじ１１８を第２部材１１７から第１部材１１６にねじ込むことによって、第１部材１１６と第２部材１１７とが一体化されて第１係合部１１５となっている。
この状態において、ケーブル部材１０７の一端部は、第１部材１１６の上片１１６ａと第２部材１１７の一片１１７ａによって上下から平行に挟み付けられ、これによって、ケーブル部材１０７の一端部には第１係合部１１５が係合している。
このようにして、ケーブル部材１０７の一端部が第１係合部１１５に係合することによって、ケーブル部材１０７はその延出方向が所定方向に規制されている。つまり、ケーブル部材１０７の一端部から後述する円弧状に折り返された折り返し部１０７ｄの前までの延出方向が可動部材１０１の移動方向に規制されている。
【００３０】
第１係合部１１５は、図６に示すように、その第１部材１１６と第２部材１１７の一片１１７ａを収納部１１１に挿入するとともに、第１部材１１６の上片１１６ａを取付部１１０の板状部１１０ｂの下面に当接したうえで、第１部材１１６に形成された嵌合部１１６ｄから筒状部１１０ａのねじ孔にねじ１１９をねじ込むことによって、取付部１１０に取り付けられている。また、筒状部１１０ａの先端部は、嵌合部１１６ｄの裏面に形成された嵌合凹部に嵌合されている。
【００３１】
ケーブル部材１０７は、図５に示すように、ケーブル本体１０７ａと、このケーブル本体１０７ａを保護する保護チューブ１０７ｂとから構成されている。ケーブル本体１０７ａは具体的にはＦＦＣケーブル（フレキシブルフラットケーブル）である。
保護チューブ１０７ｂは扁平筒状に形成されており、その内部にケーブル本体１０７ａが挿入されている。この保護チューブ１０７ｂは、その片面に複数のスリットが形成されているが、これについては後述する。
図６に示すように、ケーブル本体１０７ａの一端部は保護チューブ１０７ｂの一端部から延出しており、この延出した部分が中継基板（第１電子基板）１２０側に向けて略直角に折り返されている。この折り返されたケーブル本体１０７ａは、ベース部材１０６の上辺部の上面側を横切って、中継基板１２０まで延出し、この中継基板１２０に接続されている。
【００３２】
中継基板１２０は、図４および図６に示すように、取付部１１０の近傍において、ベース部材１０６の上辺部の背面に設けられており、当該背面にビス等によって固定されている。中継基板１２０は接続端子を有しており、この接続端子にケーブル本体１０７ａの一端部が接続されている。また、ベース部材１０６の上辺部には、保護部材１２１が設けられており、この保護部材１２１によって中継基板１２０およびケーブル本体１０７ａの一端部が保護されている。
なお、保護部材１２１は、水平方向に突出する被覆板１２１ａを有しており、この被覆板１２１ａがベース部材１０６の上辺部の上面側を横切るケーブル本体１０７ａを覆うことで、当該ケーブル本体１０７ａが保護されている。
【００３３】
収納部１１１は断面コ字形に形成されており、ベース部材１０６の上辺部に沿って前側が開口した溝状に形成されている。この収納部１１１には、第１係合部１１５から可動部材１０１側に向けて延びるケーブル部材１０７の所定部が収納されている。
ケーブル部材１０７は、図３に示すように、第１係合部１１５から可動部材１０１側に向けて延出しており、途中で円弧状に折り返されたうえで、その他端部に第２係合部１２５が係合している。そして、第１係合部１１５から延出し、第２係合部１２５に係合されている部分の前までが上述したケーブル部材１０７の所定部であり、この所定部が収納部１１１に収納されている。なお、第２係合部１２５も収納部１１１に収納されている。
【００３４】
図７に示すように、可動部材１０１はその上端部に、当該可動部材１０１を吊り下げるようにして支持する支持部材１２４を備えている。この支持部材１２４は図８に示すように、第１部材１２６と第２部材１２７とから構成されている。第１部材１２６の下端部には、可動部材１０１のレンズ部材１３１が一体的に設けられており、第２部材１２７の下端部には、可動部材１０１のＬＥＤ基板（第２電子基板）１３２が取り付けられている。なお、ＬＥＤ基板１３２には複数のＬＥＤ１３２ａが設けられており、当該ＬＥＤ１３２ａが遊技の演出状況に応じて点灯または点滅するようになっている。
【００３５】
第１部材１２６の上端部は、図８および図９に示すように、平板状の板状部材１２６ａとなっており、第２部材１２７の上端部も、平板状の板状部材１２７ａとなっている。この板状部材１２７ａの後端部には、この板状部材１２７ａから垂直に立ち上がる立上壁１２７ｂが形成されており、この立上壁１２７ｂが板状部材１２６ａの後端部に当接されている。また、板状部材１２７ａの上面には、前後方向に延在する３本の半円柱状のリブ１２７ｃが左右に等間隔で形成されている。
また、板状部材１２７ａの上面にはケーブル部材１０７の他端部の下面が当接されており、板状部材１２６ａの下面はケーブル部材１０７の他端部の上面に当接されている。そして、この板状部材１２６ａ，１２７ａによってケーブル部材１０７の他端部が平行に挟み付けられている。また、板状部材１２７ａの上面には３本のリブ１２７ｃが形成されているので、当該リブ１２７ｃによってケーブル部材１０７を板状部材１２６ａとで強固に挟み付けることができる。
【００３６】
そして、板状部材１２６ａ，１２７ａによって第２係合部１２５が構成されている。つまり、ケーブル部材１０７の他端部を上述したように板状部材１２６ａ，１２７ａで挟み付けることで、ケーブル部材１０７の他端部に第２係合部１２５が係合している。このようにして、ケーブル部材１０７の他端部が第２係合部１２５に係合することによって、ケーブル部材１０７はその延出方向が所定方向に規制されている。つまり、ケーブル部材１０７の他端部から後述する円弧状に折り返された折り返し部１０７ｄの後までの延出方向が可動部材１０１の移動方向に規制されている。
【００３７】
また、図８に示すように、第１部材１２６と第２部材１２７とは、互いに係合されたうえで、第２部材１２７から第１部材１２６にねじ１３３をねじ込むことによって、一体化され支持部材１２４となっている。支持部材１２４は板状部材１２６ａを有する第１部材１２６と、板状部材１２７ａを有する第２部材１２７とから構成されており、板状部材１２６ａ，１２７ａによって第２係合部１２５が構成されている。したがって、第２係合部１２５は可動部材１０１の支持部材１２４に設けられている。
【００３８】
ケーブル本体１０７ａの他端部は保護チューブ１０７ｂの一端部から延出しており、この延出した部分が板状部材１２７ａの上面に沿って、逆側に折り返されたうえで、さらに、ＬＥＤ基板（第２電子基板）１３２側に向けて略直角に下方に向けて折り返されている。この折り返されたケーブル本体１０７ａは、第２部材１２７の表面側を下方に延びたうえで、ＬＥＤ基板（第２電子基板）１３２に接続されている。
【００３９】
また、第２係合部１２５は、図３、図９および図１０に示すように、収納部１１１に可動部材１０１の移動方向（図１０において左右方向）に移動可能に収納されている。
すなわち、収納部１１１は断面コ字形に形成された収納部本体１１１ａと、収納部本体１１１ａの開口部を塞ぐカバー部材１１１ｂとを備えている。カバー部材１１１ｂは左右一対あり、当該カバー部材１１１ｂ，１１１ｂによって収納部本体１１１ａの開口部を塞ぐようになっている。また、カバー部材１１１ｂは、ビスによってベース部材１０６の上辺部に取り付けられるようになっている。また、図３に示すように、カバー部材１１１ｂの上縁部には凹部１１１ｃが形成されており、この凹部１１１ｃに前記第１係合部１１５の他片１１７ｂ（図５参照）が嵌合するようになっている。
また、カバー部材１１１ｂの下縁部は、図９に示すように、前側（図９において左側）に傾斜しており、これによって、カバー部材１１１ｂの下縁部と収納部本体１１１ａの下片との間に所定の隙間Ｓが設けられ、この隙間Ｓを通して、第２係合部１２５が収納部本体１１１ａ内に挿入されている。
【００４０】
第２係合部１２５を構成する板状部材１２６ａ，１２７ａは、ケーブル部材１０７の他端部を上下から平行に挟み付けた状態で、収納部本体１１１ａの内側下部に配置されており、これによって、第２係合部１２５は可動部材１０１の移動方向に移動可能となっている。収納部本体１１１ａの内側上部には、第１係合部１１５から延出して、半弧状に折り返される前のケーブル部材１０７が収納され、内側下部には、第２係合部１２５とともに、円弧状に折り返された後のケーブル部材１０７が収納されている。したがって、収納部本体１１１ａの内側の上下の幅は、ケーブル部材１０７の円弧状に折り返された折り返し部１０７ｄの曲率半径より若干大きめに設定されている。
【００４１】
図３に示すように、可動部材１０１，１０１は駆動機構１０８によって左右に移動するようになっている。なお、駆動機構１０８については、後述する。また、図３に示すように、駆動機構１０８によって取付部材１０１ｂ，１０１ｃが移動されるが、この取付部１０１ｂ，１０１ｃに第２係合部１２５が取り付けられている。
図１０は、可動部材１０１が矩形枠状のベース部材１０６の左右両側にある場合を示しており、この可動部材１０１の位置を原点位置とする。
なお、図１０では右側の可動部材１０１を示しているが、左側の可動部材１０１は右側の可動部材１０１と左右対称であるので、その説明を省略する。
【００４２】
可動部材１０１が原点に位置しているときは、収納部１１１内において、ケーブル部材１０７は第１係合部１１５から右方に延出し、収納部１１１の右端部で円弧状に折り返され、ケーブル部材１０７の他端部に係合している第２係合部１２５は可動部材１０１とともにベース部材１０６の右端部に位置している。
【００４３】
図１１に示すように、収納部１１１内において、右側の第２係合部１２５が駆動機構１０８によって、収納部１１１の右端部から中央側（図１１において左側）に移動すると、これに伴って可動部材１０１も原点位置からベース部材１０６の中央側（図１１において左側）に移動する。
ケーブル部材１０７の他端部が第２係合部１２５によって左側に引っ張られて、左側に延出して行くとともに、円弧状の折り返し部１０７ｄが左側に移動して行く。
なお、左側の第２係合部１２５も収納部１１１内において、その左端部から中央側に移動し、この第２係合部１２５に係合しているケーブル部材１０７の他端部が右側に引っ張られて、右側に延出して行くとともに、円弧状の折り返し部１０７ｄが右側に移動して行く。また、左側の第２係合部１２５の移動に伴って、左側の可動部材１０１も原点位置からベース部材１０６の中央側に移動して行き、右側の可動部材１０１とベース部材１０６の中央部で当接する。このように左右の可動部材１０１，１０１が互いに当接することで、ベース部材１０６の中央部において円状の孔が上下に３つ形成される。
【００４４】
図１２に示すように、収納部１１１内において、左右に隣接している第２係合部１２５，１２５が駆動機構１０８によって、収納部１１１の中央側から右側に移動すると、これに伴って左右に隣接している可動部材１０１，１０１も原点位置からベース部材１０６の右側に移動する。
右側の第２係合部１２５が右側に移動すると、この第２係合部１２５に係合しているケーブル部材１０７の他端部が右側に押されて、右側に移動して行くともに、円弧状の折り返し部１０７ｄが右側に移動して行く
一方、左側の第２係合部１２５が右側に移動すると、この第２係合部１２５に係合しているケーブル部材１０７の他端部が第２係合部１２５によって右側に引っ張られて、右側に延出して行くとともに、円弧状の折り返し部１０７ｄが右側に移動して行く。そして、左右の可動部材１０１，１０１がベース部材１０６の右側に位置することによって、ベース部材１０６の右端部において円状の孔が上下に３つ形成される。
【００４５】
また、右側の可動部材１０１が原点位置にある場合に、左側の第２係合部１２５が右側に移動すると、この第２係合部１２５に係合しているケーブル部材１０７の他端部が第２係合部１２５によって右側に引っ張られて、右側に延出して行くとともに、円弧状の折り返し部１０７ｄが左側に移動して行く。そして、左側の可動部材１０１が右側の可動部材１０１に当接することで、ベース部材１０６の右端部において円状の孔が上下に３つ形成される。
【００４６】
図１３に示すように、収納部１１１内において、左右に隣接している第２係合部１２５，１２５が駆動機構１０８によって、収納部１１１の中央側から左側に移動すると、これに伴って左右に隣接している可動部材１０１，１０１も原点位置からベース部材１０６の左側に移動する。
左側の第２係合部１２５が左側に移動すると、この第２係合部１２５に係合しているケーブル部材１０７の他端部が左側に押されて、左側に移動して行くともに、円弧状の折り返し部１０７ｄが左側に移動して行く
一方、右側の第２係合部１２５が左側に移動すると、この第２係合部１２５に係合しているケーブル部材１０７の他端部が第２係合部１２５によって左側に引っ張られて、左側に延出して行くとともに、円弧状の折り返し部１０７ｄが左側に移動して行く。そして、左右の可動部材１０１，１０１がベース部材１０６の左側に位置することによって、ベース部材１０６の左端部において円状の孔が上下に３つ形成される。
【００４７】
また、左側の可動部材１０１が原点位置にある場合に、右側の第２係合部１２５が左側に移動すると、この第２係合部１２５に係合しているケーブル部材１０７の他端部が第２係合部１２５によって左側に引っ張られて、左側に延出して行くとともに、円弧状の折り返し部１０７ｄが左側に移動して行く。そして、右側の可動部材１０１が左側の可動部材１０１に当接することで、ベース部材１０６の左端部において円状の孔が上下に３つ形成される。
【００４８】
以上のように、本実施の形態によれば、ケーブル部材１０７の一端部に係合する第１係合部１１５がケーブル部材１０７の延出方向を規制しているとともに、第１係合部１１５から可動部材１０１側に向けて延びるケーブル部材１０７の所定部はベース部材１０６に設けられた収納部１１１に収納されているので、ケーブル部材１０７の所定部が可動部材１０１側に延出することがない。したがって、ベース部材１０６に設けられた中継基板１２０と可動部材１０１のＬＥＤ基板１３２とを接続するケーブル部材１０７が可動部材１０１の移動の妨げになるのを防止できるとともに、ケーブル部材１０７の可動部材１０１への接触に起因する断線を防止できる。
また、ベース部材１０６には、第１係合部１１５が取り付けられる取付部１１０が中継基板１２０の近傍に設けられているので、第１係合部１１５を取付部１１０に取り付けることによって、ケーブル部材１０７の一端部を中継基板１２０に容易に接続できる。したがって、ケーブル部材１０７の配線作業を容易に行える。
【００４９】
また、ケーブル部材１０７の他端部に係合して、ケーブル部材１０７の延出方向を規制する第２係合部１２５を備え、第１係合部１１５および第２係合部１２５の双方によって、ケーブル部材１０７の延出方向を規制しているので、ケーブル部材１０７が可動部材１０１の移動の妨げになるのをより確実に防止できるとともに、第２係合部１２５が可動部材１０１に設けられているので、ケーブル部材１０７の他端部を容易に可動部材１０１のＬＥＤ基板１３２に接続できる。
【００５０】
さらに、収納部１１１は、断面コ字形に形成された収納部本体１１１ａと、この収納部本体１１１ａの開口部を塞ぐカバー部材１１１ｂを備えており、収納部本体１１１ａに第２係合部１２５が可動部材１０１の移動方向に移動可能に収納され、この収納部本体１１１ａの開口部がカバー部材１１１ｂによって塞がれるので、第２係合部１２５を保護できるとともに、カバー部材１１１ｂを取り外すことによって、遊技機の組立てやメンテナンスの際に、収納部本体１１１ａにケーブル部材１０７の所定部および第２係合部１２５を容易に出し入れできる。
【００５１】
なお、本実施の形態では、ケーブル本体（ＦＦＣケーブル）１０７ａと、このケーブル本体１０７ａが挿入される保護チューブ１０７ｂとからなるケーブル部材１０７の一端部に第１係合部１１５を係合し、他端部に第２係合部１２５を係合したが、保護チューブ１０７ｂがないケーブル本体（ＦＦＣケーブル）１０７ａを使用して、このケーブル本体（ＦＦＣケーブル）１０７ａの一端部に第１係合部１１５を係合し、他端部に第２係合部１２５を係合してもよい。
【００５２】
次に、前記ケーブル部材１０７の構成について詳しく説明する。
ケーブル部材１０７は、図１０〜図１３に示すように、その一端部が第１接続部に接続され、他端部が第２接続部に接続されている。第１接続部は、本実施の形態では、前記ベース部材１０６に設けられた中継基板１２０であり、この中継基板１２０にケーブル部材１０７のケーブル本体１０７ａの一端部が接続されている（図６参照）。また、第２接続部は、本実施の形態では、前記可動部材１０１に設けられたＬＥＤ基板１３２であり、このＬＥＤ基板１３２にケーブル部材１０７のケーブル本体１０７ａの他端部が接続されている（図８参照）。
【００５３】
上述したように、ケーブル部材１０７は、可撓性を有する帯状のケーブル本体１０７ａと、このケーブル本体１０７ａの長手方向に長尺で、かつ当該ケーブル本体１０７ａが挿入される可撓性を有する保護チューブ１０７ｂとを備えている。なお、保護チューブ１０７ｂの長さは、ケーブル本体１０７ａの長さより短くなっており、このため、保護チューブ１０７ｂに挿入されたケーブル本体１０７ａの両端部は、それぞれ保護チューブ１０７ｂの両端部から延出している。また、保護チューブ１０７ｂは塩ビ等の樹脂で形成されており、可撓性を有している。
【００５４】
保護チューブ１０７ｂは、図１４に示すように、ケーブル本体１０７ａの長手方向（図１４（ａ）において左右方向）に長尺な扁平筒状に形成されている。具体的には、保護チューブ１０７ｂは、図１４（ｂ）に示すように、幅方向の両端部が断面半円弧状に形成された薄い長円筒状に形成されており、この保護チューブ１０７ｂの断面半円弧状に形成された部分より内側にケーブル本体１０７ａが挿入されている（図９参照）。
また、保護チューブ１０７ｂの片面１０７ｅに、当該保護チューブ１０７ｂの幅方向に延在する所定深さのスリット１４０が保護チューブ１０７ｂの長手方向に所定間隔（例えばピッチ２．３ｍｍ程度）で複数形成されている。
【００５５】
スリット１４０は保護チューブ１０７ｂの片面１０７ｅにのみ形成されている。具体的には、図１５に示すように、保護チューブ１０７ｂを円弧状に折り返す場合の、外側を向く片面１０７ｅにスリット１４０が形成されている。図１０〜図１３に示すように、ケーブル部材１０７は第２係合部１２５の移動によって、その移動方向に移動するとともに、円弧状の折り返し部１０７ｄが移動して行くが、図１５に示すように、この折り返し部１０７ｄの外側の凸曲面およびこれに連続する片面１０７ｅにスリット１４０が形成されている。なお、凸曲面（折り返し部１０７ｄ）は保護チューブ１０７ｂの一端部が移動して行くに伴って、片面１０７ｅが連続的に円弧状に曲がって行くことで形成されるため、見た目において、左右に移動する。
【００５６】
折り返し部１０７ｄの凸曲面では、スリット１４０はその入口側が開くように変形するため、保護チューブ１０７ｂは軽い力でスムーズに円弧状に折り返されることになる。また、スリット１４０の深さは、保護チューブ１０７ｂの片面１０７ｅから、当該保護チューブ１０７ｂの厚さｔの半分または半分以上に設定されている。したがって、スリット１４０の幅方向の両端部は、保護チューブ１０７ｂの幅方向の両端部の半円弧状に形成された部分に食い込んでいる。
また、ケーブル本体１０７ａは、保護チューブ１０７ｂ内に、前記片面１０７ａ側に寄せて挿通されている（図９参照）。
【００５７】
また、保護チューブ１０７ｂの一端部は、第１係合部１１５に固定され、保護チューブ１０７ｂの他端部は、第２係合部１２５に固定されている。
すなわち、保護チューブ１０７ｂの一端部がその厚さ方向において、第１係合部１１５によって挟み付けられて固定されており、保護チューブ１０７ｂの他端部がその厚さ方向において、第２係合部１２５によって挟み付けられて固定されている。
具体的には、図５に示すように、保護チューブ１０７ｂの一端部は、第１係合部１１５の第１部材１１６の上片１１６ａと第２部材１１７の一片１１７ａとによって保護チューブ１０７ｂの厚さ方向（図５において上下方向）において、平行に挟み付けられている。
また、図８および図９に示すように、保護チューブ１０７ｂの他端部は、第２係合部１２５の板状部材１２６ａと板状部材１２７ａとによって、保護チューブ１０７ｂの厚さ方向（図８および図９において上下方向）において、平行に挟み付けられている。
【００５８】
このようにして、ケーブル部材１０７の一端部が第１係合部１１５によって平行に挟み付けられることによって、ケーブル部材１０７はその延出方向が所定方向に規制されている。つまり、ケーブル部材１０７の一端部から上述した円弧状に折り返された折り返し部１０７ｄの前までの延出方向が可動部材１０１の移動方向に規制されている。
また、ケーブル部材１０７の他端部が第２係合部１２５によって平行に挟み付けられることによって、ケーブル部材１０７はその延出方向が所定方向に規制されている。つまり、ケーブル部材１０７の他端部から上述した円弧状に折り返された折り返し部１０７ｄの後までの延出方向が可動部材１０１の移動方向に規制されている。
【００５９】
本実施の形態によれば、ケーブル本体１０７ａが挿入される扁平筒状の保護チューブ１０７ｂの片面１０７ｅに、当該保護チューブ１０７ｂの幅方向に延在する所定深さのスリット１４０が保護チューブ１０７ｂの長手方向に所定間隔で複数形成されているので、保護チューブ１０７ｂを、スリット１４０が形成されている片面１０７ｅが凸曲面となるように容易に湾曲できる。このため、保護チューブ１０７ｂによってケーブル本体１０７ａを保護できるとともに、ケーブル部材１０７をスムーズに移動させることできる。また、ケーブル部材は保護チューブ１０７ｂ内にケーブル本体１０７ａを挿入したものであるので、ケーブル部材１０７ｂの設置も省スペースで行える。
【００６０】
また、ケーブル部材１０７の一端部および他端部に係合する第１係合部１１５および第２係合部１２５がケーブル部材１０７の延出方向を規制しているので、ケーブル部材１０７の左右へのブレを抑制できる。また、保護チューブ１０７ｂの一端部が第１係合部１１５に固定され、保護チューブ１０７ｂの他端部が第２係合部１２５に固定されているので、ケーブル部材１０７の移動に伴う、保護チューブ１０７ｂのケーブル本体１０７ａからの長手方向へのズレを抑制できる。
さらに、保護チューブ１０７ｂの一端部と他端部とがその厚さ方向において第１係合部１１５と第２係合部１２５によって平行に挟み付けられるので、保護チューブ１０７ｂ内のケーブル本体１０７ａの一端部と他端部も同時に固定できるとともに、ケーブル部材１０７の一端部と他端部の厚さを一定厚さに保持でき、必要以上に厚くなることがない。
【００６１】
次に、可動部材１０１を移動させる駆動機構１０８について説明する。
図１６に、駆動機構１０８の分解斜視図を示す。
駆動機構１０８は、左右に長尺の板状の駆動部ベース部材２１１を備える。
駆動部ベース部材２１１の下面右端部には、右下部固定部材２１４が設けられている。また、右下部固定部材２１４の下面には、下部プーリー２１５が、下部プーリーカバー２１６と下部プーリー設置部材２１７とに回転自在に挟まれた状態で設けられている。
下部プーリー設置部材２１７は、下部プーリーカバー２１６に固定されており、下部プーリーカバー２１６は、右下部固定部材２１４に固定されている。また、下部プーリーカバー２１６の下面には、円筒状の突起部が設けられており、この突起部に下部プーリー２１５が回転自在に軸支されている。また、下部プーリー設置部材２１７には、上部が丸みを帯びた円環状の凸部が設けられており、下部プーリー２１５は、この円環状の凸部上に配置されている。そして、下側から下部プーリー設置部材２１７によって支えられることにより、下部プーリー２１５が、下部プーリーカバー２１６と下部プーリー設置部材２１７とによって保持されている。
【００６２】
また、右下部固定部材２１４の下面には、右モーター固定部材２１８が設けられている。また、右モーター固定部材２１８の下面には、上面に右モーター（ステッピングモーター）２１９の回転軸２１９ａが回転可能な状態で突出するようにして、右モーター２１９が設けられている。
右モーター固定部材２１８の上面側にはギヤ２２０ａが配置されており、ギヤ２２０ａは、右モーター２１９の回転軸２１９ａに固定されている。また、ギヤ２２０ａと噛み合うようにして、ギヤ２２０ｂが、右モーター固定部材２１８の上面に回転自在に配置されている。
右モーター固定部材２１８は、右下部固定部材２１４に下部プーリー２１５、下部プーリーカバー２１６および下部プーリー設置部材２１７を下側から覆うようにして設けられており、ギヤ２２０ｂの上側に下部プーリー設置部材２１７が配置された状態となっている。
【００６３】
駆動部ベース部材２１１の上面右端部には、上部ギヤ設置部材２２２が設けられている。また、上部ギヤ設置部材２２２の上面側には、上部ベルトギヤ２２３が回転自在に配置されている。上部ベルトギヤ２２３は、ギヤ２２０ｂと、ギヤ軸２２４によって繋がれている。言い換えると、ギヤ軸２２４の両端部にギヤ２２０ｂと上部ベルトギヤ２２３とがそれぞれ固定されており、ギヤ２２０ｂと上部ベルトギヤ２２３が一体として回転するようになっている。つまり、上部ギヤ設置部材２２２、駆動部ベース部材２１１、右下部固定部材２１４、下部プーリーカバー２１６、下部プーリー２１５および下部プーリー設置部材２１７にはそれぞれ、同心円状の穴が設けられており、この穴の中心をギヤ軸２２４が回転可能な状態で貫通している。また、下部プーリー２１５に設けられた当該穴（穴２１５ａ）は、下部プーリー２１５の径方向中心に設けられており、穴２１５ａの中心をギヤ軸２２４が通っている。すなわち、ギヤ２２０ｂと上部ベルトギヤ２２３と下部プーリー２１５のそれぞれの回転軸は、同一の直線上にある。
また、上部ギヤ設置部材２２２には、上部ベルトギヤ２２３を覆うようにして、右上部カバー２２５が設けられている。
【００６４】
駆動部ベース部材２１１下面左端部には、左下部固定部材２２６が設けられている。また、左下部固定部材２２６の下面には、左モーター固定部材２２７が設けられている。また、左モーター固定部材２２７の下面には、上面に左モーター（ステッピングモーター）２２８の回転軸２２８ａが回転可能な状態で突出するようにして、左モーター２２８が設けられている。
左モーター固定部材２２７の上面側にはギヤ２２９とこのギヤ２２９に噛み合う下部ベルトギヤ２３０が配置されており、ギヤ２２９は、左モーター２２８の回転軸２２８ａに固定されている。また、駆動部ベース部材２１１の下面左端部には、左下部固定部材２２６を貫通する円筒状の突出部が設けられており、この突起部に下部ベルトギヤ２３０が回転自在に軸支されている。すなわち、左下部固定部材２２６と左モーター固定部材２２７の間に、ギヤ２２９と下部ベルトギヤ２３０が配置されている。
【００６５】
駆動部ベース部材２１１上面左端部には、上部プーリー設置部材２３１が設けられている。また、上部プーリー設置部材２３１の上面側には、円筒状の突起部が設けられており、この突起部に上部プーリー２３２が回転自在に軸支されている。また、下部ベルトギヤ２３０と上部プーリー２３２の回転軸は同一直線状に存在している。また、上部プーリー設置部材２３１には、上部プーリー２３２を上から覆うようにして、左上部カバー２３３が設けられている。
【００６６】
下部ベルトギヤ２３０と下部プーリー２１５とには、無端状のベルトである下部ベルト２３５が、張架されている。下部ベルト２３５は、左モーター２２８による下部ベルトギヤ２３０の回転に伴い、下部ベルトギヤ２３０と下部プーリー２１５との間を周回可能な状態で設けられている。
上部ベルトギヤ２２３と上部プーリー２３２とには、無端状のベルトである上部ベルト２３６が、張架されている。上部ベルト２３６は、右モーター２１９による上部ベルトギヤ２２３の回転に伴い、上部ベルトギヤ２２３と上部プーリー２３２との間を周回可能な状態で設けられている。
【００６７】
駆動部ベース部材２１１には、上面および下面の中央部にそれぞれ３つずつセンサー取付部材２３７が設けられており、このセンサー取付部材２３７を介してセンサー２３８が、駆動部ベース部材２１１の上面および下面にそれぞれ３つずつ設けられている。また、上部ギヤ設置部材２２２の上面にも、センサー２３８が１つ設けられている。また、左下部固定部材２２６の下面にも、センサー２３８が１つ設けられている。すなわち、センサー２３８は、駆動部ベース部材２１１の上面側と下面側に４つずつ設けられており、下部ベルト２３５の内側と上部ベルト２３６の内側とにそれぞれ４つずつ配置されている。
【００６８】
また、下部ベルト２３５および下側の４つのセンサー２３８を、下側から覆うようにして、２つの下部カバー部材２３９ａ，２３９ｂが設けられている。一方の下部カバー部材２３９ａは、駆動部ベース部材２１１の下面に設けられたセンサー取付部材２３７のうちの１つと、右下部固定部材２１４と、にネジ止めされることで固定されている。また、他方の下部カバー部材２３９ｂは、駆動部ベース部材２１１の下面に設けられたセンサー取付部材２３７のうちの１つと、左下部固定部材２２６と、にネジ止めされることで固定されている。
また、上部ベルト２３６および上側の４つのセンサー２３８を、上側から覆うようにして、２つの上部カバー部材２４０ａ，２４０ｂが設けられている。一方の上部カバー部材２４０ａは、駆動部ベース部材２１１の上面に設けられたセンサー取付部材２３７のうちの１つと、上部ギヤ設置部材２２２と、にネジ止めされることで固定されている。また、他方の上部カバー部材２４０ｂは、駆動部ベース部材２１１の上面に設けられたセンサー取付部材２３７のうちの１つと、上部プーリー設置部材２３１と、にネジ止めされることで固定されている。
【００６９】
上部ギヤ設置部材２２２と上部プーリー設置部材２３１とにはそれぞれ、切り欠き部２４１，２４１が設けられており、この２つの切り欠き部２４１，２４１にシャフト２４２の両端部が嵌め込まれることによって、シャフト２４２が保持されている。また、シャフト２４２の当該切り欠き部２４１，２４１によって保持されている部分を上から覆うようにして、シャフト保持カバー２４３，２４３が、上部ギヤ設置部材２２２と上部プーリー設置部材２３１とにそれぞれ設けられている。これにより、シャフト２４２の径方向および軸方向への動きが制限された状態となっている。
【００７０】
このような構成の駆動機構１０８では、右モーター２１９によって、ギヤ２２０ａ、ギヤ２２０ｂ、ギヤ軸２２４および上部ベルトギヤ２２３を介して上部ベルト２３６が周回し、この上部ベルト２３６に取り付けられている一方の可動部材１０１が左右に移動するようになっている。また、左モーター２２８によって、ギヤ２２９および下部ベルトギヤ２３０を介して下部ベルト２３５が周回し、この下部ベルト２３５に取り付けられている他方の可動部材１０１が左右に移動するようになっている。
すなわち、左右一対の可動部材１０１，１０１は左右のモーター２２８，２１９によって独立して駆動され、上述したセンサー２３８によって所定の位置に停止でき、またこの停止位置から移動できるようになっている。
なお、上部ベルト２３６および下部ベルト２３５への、可動部材１０１，１０１の取り付け方については後述する。
【００７１】
図１７に、可動部材１０１のシャフト２４２への取付状態を示す。また、図１８に、可動部材１０１の取付部１０１ｂの他の部材との位置関係を示す。
シャフト２４２には、２つの可動部材（可動役物）１０１，１０１が取り付けられている。また、２つの可動部材１０１，１０１は、それぞれシャフト２４２によって、左右に移動可能な状態で支持されている。
【００７２】
右側の可動部材１０１は、可動部材本体１０１ａと、この可動部材本体１０１ａの上部に設けられて、可動部材１０１をシャフト２４２に取り付けるための取付部１０１ｂと、可動部材本体１０１ａの下部に設けられたガイドローラー１０１ｄとを備えている。また、左側の可動部材１０１は、可動部材本体１０１ａと、この可動部材本体１０１ａの上部に設けられて、可動部材１０１をシャフト２４２に取り付けるための取付部１０１ｃと、可動部材本体１０１ａの下部に設けられたガイドローラー１０１ｄとを備えている。
右側の可動部材１０１の取付部１０１ｂは、図１９に示すように、右側第一保持部材２４５と右側第二保持部材２４６とから構成された保持部材２８０と、２つの金属製の筒状部材２４７と、を備え、可動部材本体１０１ａの上部に設けられている。また、左側の可動部材１０１の取付部１０１ｃは、図２１に示すように、左側第一保持部材２４８と左側第二保持部材２４９とから構成された保持部材２８１と、２つの金属製の筒状部材２４７，２４７と、を備え、可動部材本体１０１ａの上部に設けられている。また、ガイドローラー１０１ｄは、図１７に示すように、左右それぞれの可動部材本体１０１ａの下部に、上下方向に延びる回転軸を中心とした回転が可能な状態で設けられている。
なお、右側第一保持部材２４５、右側第二保持部材２４６、左側第一保持部材２４８および左側第二保持部材２４９は、合成樹脂等により形成されている。
【００７３】
図１９（ａ），（ｂ）に右側の可動部材１０１の取付部１０１ｂの分解斜視図を示す。
右側第一保持部材２４５は、略長方形の板状部材である。右側第一保持部材２４５には、外側（前側）の面の上下方向中央部のやや上寄りに、右側第一保持部材２４５と一体的に形成された断面略Ｕ字状で左右に延びる突出部（ベルト保持部２５０）が、開口部を上に向けた状態で設けられている。この断面略Ｕ字状の突出部をベルト保持部２５０とする。
ベルト保持部２５０には、右側第一保持部材２４５と逆側の内面に、左右方向全幅に渡り、複数の凹凸部２５０ａが設けられている。また、ベルト保持部２５０には、右側第一保持部材２４５側の内面に、２つの凸部２５０ｂが設けられている。また、図２０に示すように、上部ベルト２３６には、内側の面に、凹凸部２５０ａに対応するベルト凹凸部２３６ａが設けられている。また、上部ベルト２３６は、ベルト凹凸部２３６ａとベルト保持部２５０の凹凸部２５０ａとが噛合した状態で、右側第一保持部材２４５側の内面に設けられた２つの凸部２５０ｂによって押さえられている。
また、ベルト保持部２５０には、前側の端部から前側に突出するようにして、板状のセンサー検知部２５１が設けられている。そして、上述したセンサー２３８がこのセンサー検知部２５１を検出したときに、検知信号を出し、この検知信号により、可動部材１０１の位置が把握できるので、可動部材１０１の位置制御に利用することができる。
【００７４】
また、右側第一保持部材２４５には、図１９（ｂ）に示すように、内側（後側）の面の上側部分に、第一保持部２５２が設けられている。第一保持部２５２は、左右方向に所定間隔空けて設けられた４つの凸部から成り、各凸部は、筒状部材２４７の外周面と当接する凹曲面２５２ａを備える。また、筒状部材２４７の外周面と凹曲面２５２ａとは、同様の曲率となっている。
また、右側第一保持部材２４５には、内側の面の上下方向中央部に、円柱状の凸部２５３，２５３が左右に離間して設けられ、当該凸部２５３の端面にネジ孔２５３ａが形成されている。また、右側第一保持部材２４５には、外側の面の上側部分に、円柱状の凸部２５４，２５４が左右に離間しかつ軸を上下に向けて設けられ、当該凸部２５４，２５４の上端面にネジ孔２５４ａが形成されている。また、右側第一保持部材２４５には、上下方向中心部よりも上寄りで、ベルト保持部２５０の上端部よりも上側に、後述する第二保持部２５６の突起部２５６ｃを挿入するための挿入孔２４５ａが設けられている。
【００７５】
右側第二保持部材２４６は、略長方形の板状部２５５と、この板状部２５５の上方に設けられた、前側（右側第一保持部材２４５側）が開口した左右に延びる略半円筒状の第二保持部２５６と、を備えている。第二保持部２５６は、半円筒状の部材の円弧の両端部が前側（右側第一保持部材２４５側）に真っ直ぐ延びたような形になっており、右側第一保持部材２４５と第二保持部２５６とによって形成される穴の断面がＤ字状となっている。
第二保持部２５６は、内側（右側第一保持部材２４５側）に、筒状部材２４７の外周面と当接する曲面２５６ａを備える。また、筒状部材２４７の外周面と曲面２５６ａとは、同様の曲率となっている。また、第二保持部２５６の左右両端部には、筒の径が小さくなるように、内側に向けて突出した凸縁部２５６ｂが設けられている。また、この凸縁部２５６ｂの内径は、筒状部材２４７の外径よりも小さいが内径よりも大きく、筒状部材２４７にシャフト２４２が挿通された際に、シャフト２４２と凸縁部２５６ｂとが接触しないようになっている。
【００７６】
筒状部材２４７は、右側第一保持部材２４５と右側第二保持部材２４６とによって保持されている。また、右側第一保持部材２４５と右側第二保持部材２４６とには、２つの筒状部材２４７，２４７が保持されている。２つの筒状部材２４７，２４７は、互いに隣接した状態で同軸に保持されており、筒状部材２４７，２４７の周面は、第一保持部２５２の凹曲面２５２ａおよび第二保持部２５６の曲面２５６ａに当接している。また、２つの筒状部材２４７，２４７のうちの一方の筒状部材２４７の一方の端部は、第二保持部２５６の左右両端部に設けられた凸縁部２５６ｂのうちの一方と近接または当接しており、２つの筒状部材２４７のうちの他方の筒状部材２４７の一方の端部は、第二保持部２５６の左右両端部に設けられた凸縁部２５６ｂのうちの他方と近接または当接している。つまり、隣接して配置された２つの筒状部材２４７，２４７は、第二保持部２５６の左右両端部に設けられた凸縁部２５６ｂ，２５６ｂに近接または当接しており、筒状部材２４７，２４７の軸方向への動きが制限されている。
【００７７】
また、第二保持部２５６の左右両端部に設けられた凸縁部２５６ｂ，２５６ｂの厚さ分（または、これに筒状部材２４７と凸縁部２５６ｂとの間の隙間を足した分）だけ、右側第一保持部材２４５の左右方向の長さと、右側第二保持部材２４６の左右方向の長さとが、筒状部材２４７の２つ分の長さよりも長くなっている。つまり、筒状部材２４７の２つ分の長さと、右側第一保持部材２４５の左右方向の長さと、右側第二保持部材２４６の左右方向の長さとは、ほぼ同じ長さとなっている。言い換えると、右側第一保持部材２４５および右側第二保持部材２４６の左右方向ほぼ全幅に渡り、筒状部材２４７が存在している。
なお、右側第一保持部材２４５と右側第二保持部材２４６との間に備えられる筒状部材２４７は、１つだけでもよく、３つ以上であってもよい。また、筒状部材２４７が、２つ以上備えられる場合に、隣り合う筒状部材２４７，２４７が隣接していなくてもよく、間隔を空けて配置されていてもよい。この際に、隣り合う筒状部材２４７，２４７の間に仕切りやスペーサを設けてもよい。この場合、仕切りやスペーサには、筒状部材２４７の内径より若干大径の孔を同軸に形成する。
【００７８】
また、右側第二保持部材２４６の板状部２５５には、右側第一保持部材２４５のネジ孔２５３ａと対向する位置に２つのネジ挿通孔２５５ａが設けられている。また、右側第二保持部材２４６には、第二保持部２５６の上側の端部から前側（右側第一保持部材２４５側）に突出するようにして接続用板状部２５７が設けられており、接続用板状部２５７には、右側第一保持部材２４５のネジ孔２５４ａと対向する位置に、２つのネジ挿通孔２５７ａが設けられている。また、第二保持部２５６には、第二保持部２５６の周方向の下側の端部であって、右側第一保持部材２４５の挿入孔２４５ａと対向する位置に、突起部２５６ｃが設けられている。
【００７９】
そして、右側第一保持部材２４５と右側第二保持部材２４６とは、２つのネジ挿通孔２５５ａそれぞれに挿通されたネジが、２つのネジ孔２５３ａそれぞれと螺合することにより互いに固定されている。また、右側第一保持部材２４５と右側第二保持部材２４６とは、２つのネジ挿通孔２５７ａそれぞれに挿通されたネジが、２つのネジ孔２５４ａそれぞれと螺合することにより、互いに固定されている。また、右側第一保持部材２４５の挿入孔２４５ａに、第二保持部２５６の突起部２５６ｃが挿入されている。
【００８０】
このように、右側第一保持部材２４５と右側第二保持部材２４６とが互いに固定されることにより、右側第一保持部材２４５と右側第二保持部材２４６との間に位置する２つの筒状部材２４７，２４７は、周面が、第一保持部２５２と第二保持部２５６とにより挟まれ、筒状部材２４７，２４７の径方向への動きが制限されている。
【００８１】
また、右側第二保持部材２４６の板状部２５５の外側の面の下部には、ネジ挿通孔２５８ａが設けられた２つの円筒状の凸部２５８と、円筒状の凸部２５９とが設けられている。そして、凸部２５９が可動部材本体１０１ａに設けられた図示しない孔に挿入されるとともに、可動部材本体１０１ａに設けられた図示しない２つのネジ挿通孔に挿通されたネジが、ネジ挿通孔２５８ａと螺合することにより、右側第二保持部材２４６と可動部材本体１０１ａとが互いに固定されている。
【００８２】
次に、左側の可動部材１０１が備える、左側第一保持部材２４８、左側第二保持部材２４９および２つの金属製の筒状部材２４７，２４７について説明する。
左側第一保持部材２４８、左側第二保持部材２４９またはこれらに保持される２つの金属製の筒状部材２４７，２４７が、右側第一保持部材２４５、右側第二保持部材２４６またはこれらに保持される２つの金属製の筒状部材２４７と主に異なる点は、ベルト保持部位置であるので、以下ではこの点について説明し、同様の構成には同一符号を付してその説明を省略または簡略化する。
【００８３】
左側第一保持部材２４８は、略長方形の板状部材である。左側第一保持部材２４８には、外側（前側）の面の下端部に、左側第一保持部材２４８と一体的に形成された断面略逆Ｕ字状で左右に延びる突出部（ベルト保持部２５０）が、開口部を下に向けた状態で設けられている。この断面略逆Ｕ字状の突出部をベルト保持部２５０とする。
ベルト保持部２５０には、右側第一保持部材２４５のベルト保持部２５０と同様に、左側第一保持部材２４８と逆側の内面に、左右方向全幅に渡り、複数の凹凸部２５０ａが設けられている。また、ベルト保持部２５０には、左側第一保持部材２４８側の内面に、２つの凸部２５０ｂが設けられている。また、下部ベルト２３５には、内側の面に、凹凸部２５０ａに対応するベルト凹凸部２３５ａが設けられており、このベルト凹凸部２３５ａとベルト保持部２５０の凹凸部２５０ａとが噛合した状態で、下部ベルト２３５が、左側第一保持部材２４８側の内面に設けられた２つの凸部２５０ｂによって押さえられている。
また、ベルト保持部２５０には、板状のセンサー検知部２５１が設けられている。そして、上述したセンサー２３８がこのセンサー検知部２５１を検出したときに、検知信号を出し、この検知信号により、可動部材１０１の位置が把握できるので、可動部材１０１の位置制御に利用することができる。
【００８４】
筒状部材２４７は、左側第一保持部材２４８と左側第二保持部材２４９とによって保持されている。左側第一保持部材２４８と左側第二保持部材２４９とには、２つの筒状部材２４７，２４７が保持されている。２つの筒状部材２４７，２４７は、互いに隣接した状態で同軸に保持されており、筒状部材２４７，２４７の周面は、第一保持部２５２の凹曲面２５２ａおよび第二保持部２５６の曲面２５６ａに当接している。また、２つの筒状部材２４７，２４７のうちの一方の筒状部材２４７の一方の端部は、第二保持部２５６の左右両端部に設けられた凸縁部２５６ｂのうちの一方と近接または当接しており、２つの筒状部材２４７のうちの他方の筒状部材２４７の一方の端部は、第二保持部２５６の左右両端部に設けられた凸縁部２５６ｂのうちの他方と近接または当接している。つまり、隣接して配置された２つの筒状部材２４７，２４７は、第二保持部２５６の左右両端部に設けられた凸縁部２５６ｂ，２５６ｂに近接または当接しており、筒状部材２４７，２４７の軸方向への動きが制限されている。
【００８５】
また、第二保持部２５６の左右両端部に設けられた凸縁部２５６ｂ，２５６ｂの厚さ分（または、これに筒状部材２４７と凸縁部２５６ｂとの間の隙間を足した分）だけ、左側第一保持部材２４８の左右方向の長さと、左側第二保持部材２４９の左右方向の長さとが、筒状部材２４７の２つ分の長さよりも長くなっている。つまり、筒状部材２４７の２つ分の長さと、左側第一保持部材２４８の左右方向の長さと、左側第二保持部材２４９の左右方向の長さとは、ほぼ同じ長さとなっている。言い換えると、左側第一保持部材２４８および左側第二保持部材２４９の左右方向ほぼ全幅に渡り、筒状部材２４７が存在している。
【００８６】
また、左側第一保持部材２４８と左側第二保持部材２４９とは、右側第一保持部材２４５と右側第二保持部材２４６とが互いに固定されているのと同様の形で、互いに固定されている。
なお、左側第一保持部材２４８と左側第二保持部材２４９との間に備えられる筒状部材２４７は、１つだけでもよく、３つ以上であってもよい。また、筒状部材２４７が、２つ以上備えられる場合に、隣り合う筒状部材２４７，２４７が隣接していなくてもよく、間隔を空けて配置されていてもよい。この際に、隣り合う筒状部材２４７，２４７の間に仕切りやスペーサを設けてもよい。この場合、仕切りやスペーサには、筒状部材２４７の内径より若干大径の孔を同軸に形成する。
【００８７】
筒状部材２４７を図２２および図２３に示す。図２２は、筒状部材２４７の斜視図である。また、図２３は、半分を切り欠いた状態の筒状部材２４７の斜視図である。
筒状部材２４７は、外筒２６０と、複数の鋼球２６１と、２つのエンドキャップ２６２と、保持器２６３と、を備えている。外筒２６０と鋼球２６１とは、高炭素クロム軸受鋼等の軸受鋼により形成されている。なお、他の金属素材や金属素材以外の素材を用いてもよい。また、エンドキャップ２６２と保持器２６３とは、ポリアセタールにより形成されている。なお、他の樹脂素材や金属素材等を用いてもよい。
【００８８】
保持器２６３は、略円筒状の部材であり、鋼球２６１を保持するための長円状の保持部２６４を４つ備える。また、外筒２６０は、保持器２６３よりも軸方向の長さが短い略円筒状の部材であり、保持器２６３の外周の軸方向中心部を覆うようにして設けられている。また、エンドキャップ２６２は、略円筒状の部材であり、保持器２６３の外周の軸方向両端部を覆うようにして、外筒２６０の両端部それぞれに隣接した状態で、エンドキャップ２６２，２６２がそれぞれ設けられている。エンドキャップ２６２には、内面に係止爪２６２ａが設けられており、保持器２６３の外面両端部に設けられた係止部２６３ａに係止爪２６２ａが係止されている。また、エンドキャップ２６２の端部と、保持器２６３の端部は面一となっている。つまり、２つのエンドキャップ２６２と外筒２６０と軸方向の長さを足し合わせた長さは、保持器２６３の軸方向の長さと、略同一となっている。
【００８９】
言い換えると、保持器２６３は、エンドキャップ２６２、外筒２６０、エンドキャップ２６２に挿通されている。また、保持器２６３の外周面は、エンドキャップ２６２、外筒２６０およびエンドキャップ２６２それぞれの内周面と当接している。
【００９０】
保持部２６４は、鋼球２６１が転がりながら移動するための長円状の軌道であって、第一通路２６４ａと、第二通路２６４ｂと、曲線路２６４ｃと、を備える。第一通路２６４ａは、保持部２６４の軸方向に長い直線状の穴である。第二通路２６４ｂは、保持部２６４の軸方向に長い直線状の溝であり、保持部２６４の外周面側が開口している。曲線路２６４ｃは、第一通路２６４ａと第二通路２６４ｂとを繋ぐ、曲線状の穴部分と溝部分とを備える軌道であり、第一通路２６４ａ側が穴部分となっており、第二通路２６４ｂが溝部分となっている。また、曲線路２６４ｃの溝部分は、保持部２６４の外周面側が開口している。第一通路２６４ａと第二通路２６４ｂと曲線路２６４ｃとは、連続的に長円状に繋がれており、これらの間を鋼球２６１が周回できるようになっている。また、保持部２６４は、計４つ、保持器２６３の周方向に所定間隔を空けて離間して設けられている。
【００９１】
保持部２６４には、複数の鋼球２６１が、転がり運動が可能な状態で収容されている。第一通路２６４ａは、保持部２６４の軸方向に長い直線状の穴であるため、筒状部材２４７を内面側から見たときに、鋼球２６１が視認可能な状態となっている。また、この第一通路２６４ａを通過している鋼球２６１は、鋼球２６１の一部が、保持部２６４の内周面よりも筒状部材２４７の内側に突出した状態となっている。また、この第一通路２６４ａを通過している鋼球２６１は、外筒２６０に当接している。また、第二通路２６４ｂは、保持部２６４の外周面側が開口しており、内周面側は開口しておらず、第二通路２６４ｂを通過している鋼球２６１は、筒状部材２４７の内側に突出していない。つまり、外筒２６０の内面の第二通路２６４ｂに対抗した部分は、第一通路２６４ａに対向した部分に比べて外筒２６０の外周側に凹んだ形（第一通路２６４ａに対向した部分が、第二通路２６４ｂに対抗した部分よりも突出した形）となっている。
【００９２】
なお、筒状部材２４７としては、リニアブッシュ等の転がり軸受けの他、滑り軸受等を用いてもよい。
【００９３】
駆動機構１０８のシャフト２４２には、図１７に示すように、２つの可動部材１０１，１０１が取付けられている。また、２つの可動部材１０１，１０１は、それぞれ筒状部材２４７にシャフト２４２が挿通されることにより（筒状部材２４７がシャフトに外挿されることにより）、シャフト２４２に対して左右方向に移動可能な状態で支持されている（図１９および図２０参照）。
【００９４】
このとき、筒状部材２４７は、シャフト２４２に対して、摺動可能に設けられている。また、筒状部材２４７の内面において、第一通路２６４ａを通過している鋼球２６１は、筒状部材２４７の内周面よりも内側に突出した状態となっている。よって、筒状部材２４７は、シャフト２４２に鋼球２６１のみが接触している。
【００９５】
可動部材１０１，１０１が取り付けられた駆動機構１０８は、図２４に示すように、ベース部材１０６にネジ止めにより固定されている。また、ベース部材１０６の下部には下部レール２７０が、ネジ止めにより固定されている。また、可動部材１０１のガイドローラー１０１ｄは、ベース部材１０６と下部レール２７０との間に位置している（図１７参照）。
【００９６】
下部レール２７０は、図２５に示すように、下部レール本体２７１とレール２７２とを備える。下部レール本体２７１の形状は、左右に長尺な板状である。レール２７２は、下部レール本体２７１に、下部レール本体２７１と一体的に設けられている。レール２７２は、下部レール本体２７１の後ろ側の面の上端部に設けられた左右に長い突条であり、下部レール本体２７１の左端部分から右端部分に渡り、後側に向かって突出するようにして設けられている。また、レール２７２は、頂点部分が丸みを帯びた形状となっている。
【００９７】
また、ベース部材１０６には、下部レール２７０のレール２７２と対向する位置に、突条部２７３が設けられている（図１７参照）。突条部２７３は、ベース部材１０６の前側の面の下側部分に設けられた左右に長い突条であり、ベース部材１０６の左端部分から右端部分に渡り、前側に向かって突出するようにして設けられている。また、突条部２７３は、頂点部分が丸みを帯びた形状となっている。
【００９８】
対向するレール２７２と突条部２７３との間には、可動部材１０１のガイドローラー１０１ｄが位置しており、レール２７２または突条部２７３のそれぞれと、ガイドローラー１０１ｄとが、当接または近接した状態となっている。
【００９９】
このように、可動部材１０１，１０１はその上端部が取付部１０１ｂ，１０１ｃを介してシャフト２４２によって左右に移動可能に支持され、下端部がガイドローラー１０１ｄ，１０１ｄを介して下部レール２７０によって左右に移動可能に支持されている。
そして、取付部１０１ｂは第一保持部材２４５と第二保持部材２４６とを備え、取付部１０１ｃは第一保持部材２４８と第二保持部材２４９とを備え、筒状部材２４７は、第一保持部材２４５，２４８と第二保持部材２４６，２４９とによって保持されており、筒状部材２４７には、遊技機に備えられたシャフト２４２が挿通されている。つまり、可動部材１０１は、筒状部材２４７を介してシャフト２４２に設けられており、シャフト２４２に対して摺動可能な状態となっている。また、筒状部材２４７は、金属製である。
したがって、可動部材１０１とシャフト２４２との接続部分に寸法精度を確保することができ、このため、可動部材１０１とシャフト２４２との間の隙間を最小限に抑えることができ、可動部材１０１が傾くのを防ぐことができる。したがって、可動部材１０１を滑らかに動かすことができる。
また、可動部材１０１の下端部はガイドローラー１０１ｄ，１０１ｄを介して下部レール２７０によって左右に移動可能に支持されているので、この点においても、可動部材１０１をその傾きを防止しつつ滑らかに動かすことができる。
【０１００】
また、筒状部材２４７は、金属製のため耐久性が高い。このため、使用により筒状部材２４７が摩耗し、シャフト２４２と可動部材１０１との間の隙間が広がるのを防ぐことができる。これにより、可動部材１０１が長寿命となるので、取り付けた可動部材１０１をそのまま長く使える。また、これだけでなく、この可動部材１０１や筒状部材２４７等の部材を、他の遊技機に再利用したり流用したりすることもできる。
また、遊技機への可動部材１０１の取り付けが、シャフト２４２と筒状部材２４７とにより行われるので、遊技機の機種によって取付構造や取付部のサイズが変わることが無く、可動部材１０１の汎用性を高めることができる。
さらには、筒状部材２４７を第一保持部材２４５，２４８と第二保持部材２４６，２４９とによって挟むようにして保持するようにしているため、可動部材１０１のシャフト２４２からの取り外し、シャフトへ２４２の取り付けも容易に行うことできる。したがって、可動部材１０１を長期に渡り使用することができる。
【０１０１】
また、２つの筒状部材２４７，２４７のうちの一方の筒状部材２４７の一方の端部は、第二保持部２５６の左右両端部に設けられた凸縁部２５６ｂのうちの一方と近接または当接しており、２つの筒状部材２４７のうちの他方の筒状部材２４７の一方の端部は、第二保持部２５６の左右両端部に設けられた凸縁部２５６ｂのうちの他方と近接または当接している。つまり、隣接して配置された２つの筒状部材２４７，２４７は、第二保持部２５６の左右両端部に設けられた凸縁部２５６ｂ，２５６ｂに近接または当接している。
したがって、筒状部材２４７が、シャフト２４２の軸方向において第一保持部材２４５，２４８および第二保持部材２４６，２４９のほぼ全幅に渡り位置することになる。このため、シャフト２４２と筒状部材２４７との接触する範囲をシャフト２４２の軸方向に長く取れ、第一保持部材２４５，２４８および第二保持部材２４６，２４９の幅の一部にしか筒状部材２４７が存在しない場合に比べ、筒状部材２４７がシャフト２４２に対し傾き、可動部材１０１が傾くのをより強く抑えることができる。また、筒状部材２４７と第一保持部材２４５，２４８および第二保持部材２４６，２４９との接触する範囲を広くすることができ、第一保持部材２４５，２４８および第二保持部材２４６，２４９が筒状部材２４７に対し傾き、可動部材１０１が傾くのを防ぐことができる。
なお、第一保持部材２４５，２４８と第二保持部材２４６，２４９とによって保持された筒状部材２４７が１つの場合であっても、同様の作用効果を奏する。
【０１０２】
また、シャフト２４２の軸方向における第一保持部材２４５，２４８および第二保持部材２４６，２４９の両端部にそれぞれ筒状部材２４７が位置することとなる。これは、隣り合う筒状部材２４７，２４７の間に仕切りやスペーサを設けた場合にも言えることである。前述のように、シャフト２４２の軸方向において第一保持部材２４５，２４８および第二保持部材２４６，２４９のほぼ全幅に渡り位置することで、可動部材１０１が傾くのを強く抑えることができるが、全幅に渡り位置していなくとも両端部に位置することで同様に可動部材１０１が傾くのを防ぐことができる。
また、通常、筒状の軸受け等にあっては、軸方向の長さが長くなると、径の長さも長くなってしまう場合が多いが、複数の筒状部材２４７を用いることで、一本の筒状部材２４７で同じだけの長さを確保しようとした場合に比べ、径方向のサイズを小さくすることができる。したがって、複数の筒状部材２４７を離間させて設ける場合に限らず、隣接させて設ける場合にも実益がある。また、筒状部材２４７を複数用いることにより第一保持部材２４５，２４８および第二保持部材２４６，２４９の幅に合わせた筒状部材２４７の配置を実現することで、第一保持部材２４５，２４８および第二保持部材２４６，２４９の幅の長さが違う製品について違う長さの筒状部材２４７を用意する必要が無く、同一の筒状部材２４７を利用することができ、コストの削減等に繋がる。
【符号の説明】
【０１０３】
１０１  可動部材
２４２  シャフト
２４７  筒状部材
２８０  保持部材
２８１  保持部材
【図１】
2018011689.tif 000003
【図２】
2018011689.tif 000004
【図３】
2018011689.tif 000005
【図４】
2018011689.tif 000006
【図５】
2018011689.tif 000007
【図６】
2018011689.tif 000008
【図７】
2018011689.tif 000009
【図８】
2018011689.tif 000010
【図９】
2018011689.tif 000011
【図１０】
2018011689.tif 000012
【図１１】
2018011689.tif 000013
【図１２】
2018011689.tif 000014
【図１３】
2018011689.tif 000015
【図１４】
2018011689.tif 000016
【図１５】
2018011689.tif 000017
【図１６】
2018011689.tif 000018
【図１７】
2018011689.tif 000019
【図１８】
2018011689.tif 000020
【図１９】
2018011689.tif 000021
【図２０】
2018011689.tif 000022
【図２１】
2018011689.tif 000023
【図２２】
2018011689.tif 000024
【図２３】
2018011689.tif 000025
【図２４】
2018011689.tif 000026
【図２５】
2018011689.tif 000027